(57)【要約】【課題】葉物野菜を取り出す際に、葉物野菜を傷めずに、所望の数量を容易に取り出すことができるとともに、特に鮮度保持機能を有する包装袋からなる場合に、その機能を有効に活用しうる葉物野菜用包装袋を提供する。【解決手段】合成樹脂フィルム又はシートからなる葉物野菜用包装袋１であって、離隔対向の一辺に開口された投入口３が設けられ、他方の一辺に開閉自在のジッパー４１を備えた取出口４が設けられているように構成した。【選択図】図１
0003216200.tif 000002
【実用新案登録請求の範囲】
【請求項１】
合成樹脂フィルム又はシートからなる葉物野菜用包装袋であって、
離隔対向の一辺に開口された投入口が設けられ、他方の一辺に開閉自在のジッパーを備えた取出口が設けられていること
を特徴とする取出口付葉物野菜用包装袋。
【請求項２】
前記合成樹脂フィルム又はシートは、
防曇加工が施されたものであること
を特徴とする請求項１記載の取出口付葉物野菜用包装袋。
【請求項３】
前記合成樹脂フィルム又はシートは、
気体透過性を有する素材からなるものであること
を特徴とする請求項１又は２記載の取出口付葉物野菜用包装袋。
【請求項４】
合成樹脂フィルム又はシートからなる葉物野菜用包装袋であって、
離隔対向の一辺に開口された投入口が設けられ、他方の一辺に取出口形成用の切除部が設けられていること
を特徴とする取出口付葉物野菜用包装袋。
【考案の詳細な説明】
【技術分野】
【０００１】
本考案は、ホウレンソウやコマツナなどの葉物野菜の包装に適した葉物野菜用包装袋に関する。
【背景技術】
【０００２】
スーパーマーケットや八百屋等の店頭で陳列、販売される野菜は、当該野菜の形状や大きさ等に応じて様々な態様で包装されている。例えば、ホウレンソウやコマツナ等のいわゆる葉物野菜を包装する手段としては、ポリプロピレン等の合成樹脂フィルムを素材とし、長方形や台形の中空筒状で一辺が開口され、他の三辺をシールしたＯＰＰ包装袋が知られている。そして、葉物野菜をその茎部分から包装袋の開口部分に詰め込み、葉が開口部分に向くように収容し、開口部分のフィルムを折り曲げてテープや接着剤等で貼り付ける等して、開口部分に封をした状態で出荷又は店頭等で陳列、販売されている。
【先行技術文献】
【特許文献】
【０００３】
【特許文献１】実用新案登録第３１９１５０８号公報
【考案の概要】
【考案が解決しようとする課題】
【０００４】
上記したような従来の包装袋から葉物野菜を取り出す際には、開口部分から葉を摘まんで取り出していた。しかしながら、このような取出方法では、収容されている複数の葉が重なり合い、また、水分の多い茎部分がくっつき合うため、少量ずつ葉物野菜を取り出すことが困難だった。また、無理に取り出そうとすると、葉が千切れたり、茎が折れるなど野菜を傷めるという問題があった。
【０００５】
さらに、使用したい分量のみを取り出したいにもかかわらず、前記した問題があるため、封入されている葉物野菜をすべて取り出してしまい、無理に使いきったりすることや、使いきらなかった分を、別途用意した袋などを用いて、保存し直すことも少なくなかった。このため、封入されていた包装袋が、適度な気体透過性を有する等の鮮度保持機能を備えたものであっても、その機能を発揮しているのはスーパーマーケット等の店頭までにとどまり、家庭においては、その機能を充分発揮できていないという問題があった。
【０００６】
本考案は、上記従来の課題に鑑みてなされたものであり、その目的は、葉物野菜を取り出す際に、葉物野菜を傷めずに、容易に取り出すことができるとともに、特に鮮度保持機能を有する包装袋からなる場合に、家庭内においてもその機能を有効に活用しうる葉物野菜用包装袋を提供することにある。
【課題を解決するための手段】
【０００７】
上記課題を解決するために本考案は、合成樹脂フィルム又はシートからなる葉物野菜用包装袋であって、離隔対向の一辺に開口された投入口が設けられ、他方の一辺に開閉自在のジッパーを備えた取出口が設けられている取出口付葉物野菜用包装袋であることを要旨とする。
【考案の効果】
【０００８】
本考案によれば、投入口とは別の取出口を設けることで、葉物野菜用包装袋から葉物野菜を取り出す際に、根本から摘まみ出すことができるため、葉物野菜の葉や茎を傷めることなく、容易に取り出すことが可能となる。
【０００９】
さらに、当該葉物野菜用包装袋が鮮度保持機能を有するものである場合、取り出さずに包装袋内に残した野菜は、その包装袋の機能を有効に活用しうることで、鮮度及び品質を長期間維持することが可能となる。
【図面の簡単な説明】
【００１０】
【図１】本考案の実施形態に係る葉物野菜用包装袋の全体図である。
【図２】葉物野菜用包装袋に葉物野菜を投入する際の説明図である。
【図３】葉物野菜用包装袋に葉物野菜を収納した全体図である。
【図４】葉物野菜用包装袋から葉物野菜を取り出す際の説明図である。
【考案を実施するための形態】
【００１１】
以下、図面を参照して、本考案の葉物野菜用包装袋の実施の形態について説明する。本考案の葉物野菜用包装袋１は、例えば、ホウレンソウ、コマツナ等の葉物野菜Ｖを内部に収容して包装し、店頭に陳列したり、輸送したりする際に、当該葉物野菜Ｖを保護するための包装用袋である。
【００１２】
図１ないし図４は、本考案に係る葉物野菜用包装袋１の一実施形態を示している。図１に示すように、葉物野菜用包装袋１は、袋本体２と、その袋本体２の一辺に開口されたままの状態で形成される投入口３と、その一片の離隔対向の一辺に取出口４が設けられる。
【００１３】
袋本体２は、例えば、ポリエチレン、ポリプロピレン等の透明で薄い合成樹脂フィルム又はシートを素材とし、平面視四角形に形成される。この形状は、長方形や台形以外にも、葉物野菜Ｖを包装するに適した形状であれば足り、例えば各辺が曲線からなるものであっても構わない。
【００１４】
図１に示すように、袋本体２は、第１フィルム２１と、同じ横幅で第１フィルム２１よりもやや長い第２フィルム２２から構成され、投入口３側で第２フィルム２２が延伸した延伸部２３が形成される。延伸部２３を設けることで、葉物野菜Ｖの投入が容易になるが、延伸部２３の形成は必須ではない。延伸部２３を設けない場合には、第１フィルム２１と第２フィルム２２は同一形状に形成される。
【００１５】
袋本体２は、延伸部２３を除いた第１フィルム２１と第２フィルム２２の両側部でヒートシールされて互いに接合される。
【００１６】
図１ないし図４に示すように、袋本体２は、取出口４側の対向する内側面における一方の内側面には雄爪部が設けられ、他方の内側面にこの雄爪部に係脱自在に係合する雌爪部が設けられてなるジッパー４１を有する。また、当該ジッパー４１部分に摺動自在に装着されて、このジッパー４１を開閉するスライダを備えものとしても良い。このジッパー４１やスライダは合成樹脂から形成される。また、ジッパー４１は、平行に複数設けるものとして構成しても良い。
【００１７】
ジッパー４１は、袋本体２に押出成形されても良いし、別途、形成されたジッパーテープをヒートシールし接合されても良い。
【００１８】
取出口４に、前記したジッパー４１を設けずに、袋本体２の取出口４に当たるフィルム端辺を予めヒートシールしておき、そのフィルム端辺近傍を切除し、購入者において、取出口を形成する構成としても良い。この構成とする場合、取出口４の辺に対し水平方向に、第１フィルム２１と第２フィルム２２の対向する箇所には、ノッチやミシン目を設けるなどの切除を容易にするための切除部が設けられる。購入者が切除部を切除し、取出口４を形成した後は、取出口４付近を閉鎖するように折り曲げてテープなどで貼り付けるなど任意の方法で取出口４を閉じても良い。このように簡易に封止するだけでも葉物野菜Ｖの鮮度をある程度保つことが可能となる。
【００１９】
図１に示すように、取出口４と隔離対向する辺に投入口３が形成される。投入口３は、葉物野菜Ｖを袋本体２内部へ投入するために開口されている。
【００２０】
次に本実施形態にかかる葉物野菜用包装袋１の作用について説明する。図２に示すように、ホウレンソウ等の葉物野菜Ｖを葉物野菜用包装袋１に入れる場合には、第１フィルム２１と第２フィルム２２の長さが異なることで形成される延伸部２３を伸ばした状態で、葉物野菜Ｖの茎部分を載せるようにする。この延伸部２３が、葉物野菜Ｖを投入する際のガイドの役割を果たし、スムーズに袋詰めを行うことができる。
【００２１】
葉物野菜Ｖを葉物野菜用包装袋１に収容させた後、延伸部２３部分を折り曲げ、袋本体２にテープ等で貼り付けて、封止される。これにより、流通中又は店頭で陳列されている状態では、葉物野菜Ｖは、葉物野菜用包装袋１によって保護され鮮度が保持される。
【００２２】
図４に示すように、葉物野菜用包装袋１から葉物野菜Ｖを取り出す際には、ジッパー４１の係合部材を外し、取出口４を開かせる。このように、簡単な操作で取出口４を開放させて、葉物野菜Ｖを取り出すことができる。
【００２３】
投入口３に対向するよう取出口４を設けることで、葉物野菜Ｖの投入と取出しが一方向となり、また、千切れにくい茎の根本部分を摘まんで取り出せることで、葉物野菜Ｖを必要数量のみ容易に取り出すことができる。
【００２４】
葉物野菜袋１から必要数量の葉物野菜Ｖを取り出した後は、取出口４に設けられたジッパー４１を係合させて、残りの葉物野菜Ｖを野菜袋に残したままの状態で保存することができる。葉物野菜Ｖは、乾燥にも過度の水気にも弱いため、冷蔵庫で保存するに際して、本考案にかかる葉物野菜用包装袋１は、取出口４にジッパー４１を設けることで、鮮度保持の面においても優れた効果を有する。
【００２５】
また、ジッパー４１を平行に複数設けることで、気密性を高めたり、内容物の重量などによる意図しない開封を防止する効果をもたらすことができる。
【００２６】
以上説明した本考案の葉物野菜用包装袋１は、上記した実施形態のみの構成に限定されるものではなく、実用新案登録請求の範囲に記載した本考案の本質を逸脱しない範囲内において、種々の変更を加えることができる。
【産業上の利用可能性】
【００２７】
本考案の葉物野菜用包装袋１は、例えば、ホウレンソウ、コマツナ、チンゲン菜その他の葉物野菜を包装するのに好適に利用できる。
【符号の説明】
【００２８】
１    葉物野菜用包装袋
２    袋本体
２１  第１フィルム
２２  第２フィルム
２３  延伸部
３    投入口
４    取出口
４１  ジッパー
【図１】
0003216200.tif 000003
【図２】
0003216200.tif 000004
【図３】
0003216200.tif 000005
【図４】
0003216200.tif 000006